(57)【要約】【課題】画像の比較表示をする場合に、背景を極力同じ見え方となるように表示する。【解決手段】発光強度と、色域と、ＥＯＴＦ（Ｅｌｅｃｔｒｏ  Ｏｐｔｉｃａｌ  Ｔｒａｎｓｆｅｒ  Ｆｕｎｃｔｉｏｎ）との複数のパラメータのうちの、少なくとも１つのパラメータを変更可能な表示部と、表示部に複数の画像を表示させる場合に、複数の画像のそれぞれの周辺に表示される背景画像が、複数の画像間で視覚的に同じように見えるように、表示部に、複数の画像と背景画像とを表示させるように制御する表示制御部とを備える。【選択図】  図１０
2020112730.tif 000002
【特許請求の範囲】
【請求項１】
発光強度と、色域と、ＥＯＴＦ（Ｅｌｅｃｔｒｏ  Ｏｐｔｉｃａｌ  Ｔｒａｎｓｆｅｒ  Ｆｕｎｃｔｉｏｎ）との複数のパラメータのうちの、少なくとも１つのパラメータを変更可能な表示手段と、
前記表示手段に複数の画像を表示させる場合に、前記複数の画像のそれぞれの周辺に表示される背景画像が、前記複数の画像間で視覚的に同じように見えるように、前記表示手段に、前記複数の画像と前記背景画像とを表示させるように制御する表示制御手段と、
を備えることを特徴とする表示装置。
【請求項２】
前記表示制御手段は、前記複数の画像を、１枚ずつ切り替えながら、前記表示手段の１画面に１枚ずつ表示することを特徴とする請求項１に記載の表示装置。
【請求項３】
前記表示制御手段は、前記複数の画像を前記表示手段の１画面に並べて表示させることを特徴とする請求項１に記載の表示装置。
【請求項４】
前記表示手段は、１画面の異なる領域のそれぞれについて、前記少なくとも１つのパラメータを変更可能であることを特徴とする請求項１乃至３のいずれか１項に記載の表示装置。
【請求項５】
前記表示制御手段は、前記複数の画像のそれぞれについて、その周辺に表示される背景画像を視覚的に同じに見えるように補正して表示することを特徴とする請求項１乃至４のいずれか１項に記載の表示装置。
【請求項６】
前記背景画像が黒色であり、１画面の複数の異なる領域について前記少なくとも１つのパラメータが異なる場合、前記表示制御手段は、前記複数の異なる領域に同一の黒色の画素値を入力した場合の表示輝度が最も明るく表示される領域を基準として、その他の領域の背景画像を前記基準とした領域と視覚的に同じに見えるように補正することを特徴とする請求項３乃至５のいずれか１項に記載の表示装置。
【請求項７】
前記背景画像が白色であり、１画面の複数の異なる領域について前記少なくとも１つのパラメータが異なる場合、前記表示制御手段は、前記複数の異なる領域に同一の白色の画素値を入力した場合の表示輝度が最も暗く表示される領域を基準として、その他の領域の背景画像を前記基準とした領域と視覚的に同じに見えるように補正することを特徴とする請求項３乃至５のいずれか１項に記載の表示装置。
【請求項８】
前記背景画像が灰色であり、１画面の複数の異なる領域について前記少なくとも１つのパラメータが異なる場合、前記表示制御手段は、灰色の画素値が所定の閾値以下の場合には、前記複数の異なる領域に同一の灰色の画素値を入力した場合の表示輝度が最も明るく表示される領域を基準として、その他の領域の背景画像を前記基準とした領域と視覚的に同じに見えるように補正し、灰色の画素値が前記所定の閾値より大きい場合には、前記複数の異なる領域に同一の灰色の画素値を入力した場合の表示輝度が最も暗く表示される領域を基準として、その他の領域の背景画像を前記基準とした領域と視覚的に同じに見えるように補正することを特徴とする請求項３乃至５のいずれか１項に記載の表示装置。
【請求項９】
前記背景画像が有彩色であり、１画面の複数の異なる領域について前記少なくとも１つのパラメータが異なる場合、前記表示制御手段は、前記複数の異なる領域に同一の有彩色の画素値を入力した場合の色域が最も狭く表示される領域を基準として、その他の領域の背景画像を前記基準とした領域と視覚的に同じに見えるように補正することを特徴とする請求項３乃至５のいずれか１項に記載の表示装置。
【請求項１０】
前記表示手段は、表示のレンジとしてフルレンジとリミテッドレンジのいずれかを設定可能であり、前記表示制御手段は、前記表示のレンジに応じた画素値を背景色の画素値とすることを特徴とする請求項１乃至９のいずれか１項に記載の表示装置。
【請求項１１】
発光強度と、色域と、ＥＯＴＦ（Ｅｌｅｃｔｒｏ  Ｏｐｔｉｃａｌ  Ｔｒａｎｓｆｅｒ  Ｆｕｎｃｔｉｏｎ）との複数のパラメータのうちの、少なくとも１つのパラメータを変更可能な表示手段を備える表示装置の制御方法であって、
前記表示手段に複数の画像を表示させる場合に、前記複数の画像のそれぞれの周辺に表示される背景画像が、前記複数の画像間で視覚的に同じように見えるように、前記表示手段に、前記複数の画像と前記背景画像とを表示させるように制御する表示制御工程を有することを特徴とする表示装置の制御方法。
【請求項１２】
コンピュータを請求項１乃至１０のいずれか１項に記載の表示装置の各手段として機能させるためのプログラム。
【請求項１３】
コンピュータを請求項１乃至１０のいずれか１項に記載の表示装置の各手段として機能させるためのプログラムを記憶したコンピュータが読み取り可能な記憶媒体。
【発明の詳細な説明】
【技術分野】
【０００１】
本発明は、表示装置における背景色の処理技術に関するものである。
【背景技術】
【０００２】
デジタルカメラなどにより撮影された画像は、デジタルカメラの表示パネルやパソコンのディスプレイなどの表示装置により閲覧される。１つの表示装置で複数の画像を比較する場合、表示装置に１枚の画像を表示する設定で、表示する画像を切り替えて比較する方法や、表示装置に複数の画像を同時に表示して比較する方法がある。以下、表示装置に１枚の画像を表示する方法を１枚表示と呼び、表示装置に複数の画像を表示する方法を分割表示と呼ぶことにする。
【０００３】
表示装置に画像を表示する際、表示装置の表示部の解像度（ドット数）と表示する画像の画像サイズが異なる場合、画像をリサイズして表示する。また、表示装置の表示部の解像度のアスペクト比と表示画像のアスペクト比が異なる場合、画像にパディングを行い表示する。
【０００４】
図１２（Ａ）から図１２（Ｃ）は１枚表示の場合のパディングを示しており、図１２（Ｄ）は分割表示の場合のパディングを示している。リサイズした画像を斜め線のハッチングで示し、パディングした領域を黒の塗りつぶしで示している。図１２（Ａ）はレターボックスと呼ばれ、図１２（Ｂ）はピラーボックスまたはサイドパネルと呼ばれ、図１２（Ｃ）はウインドウボックスと呼ばれている。以下、図１２（Ａ）から図１２（Ｄ）に示すようなパディング領域を背景と呼び、背景の色を背景色と呼ぶ。
【０００５】
また近年、液晶ディスプレイやＯＬＥＤ（Ｏｒｇａｎｉｃ  Ｌｉｇｈｔ  Ｅｍｉｔｔｉｎｇ  Ｄｉｏｄｅ）は、１画面を複数の領域に分割して、分割した領域毎に色域や表示輝度やＥＯＴＦ（Ｅｌｅｃｔｒｏ  Ｏｐｔｉｃａｌ  Ｔｒａｎｓｆｅｒ  Ｆｕｎｃｔｉｏｎ）を制御して、表示することが可能な製品が普及してきている。
【０００６】
特許文献１には、液晶ディスプレイの１画面を複数の領域に分割して、分割した領域毎に色域や表示輝度が設定された場合に、バックライトの発光強度の制御により、分割した領域毎の画像を高画質に表示する方法が示されている。
【先行技術文献】
【特許文献】
【０００７】
【特許文献１】特許第６１４１３４５号公報
【発明の概要】
【発明が解決しようとする課題】
【０００８】
しかしながら特許文献１に開示されている方法では、背景色は考慮されていない。このため、背景色が同じに見えるように背景色の画素値を一律で同じ値にした場合、背景色が同じ輝度や色に見えてほしいにもかかわらず、バックライトの発光強度の違いにより、異なって見える場合が生じる。画像の比較表示では、有効画像領域の画像の比較をしたいため、背景の見え方の影響が出ないように背景は同じ見え方であることが望ましい。
【０００９】
本発明は上述した課題に鑑みてなされたものであり、その目的は、画像の比較表示をする場合に、背景を極力同じ見え方となるように表示することである。
【課題を解決するための手段】
【００１０】
本発明に係わる表示装置は、発光強度と、色域と、ＥＯＴＦ（Ｅｌｅｃｔｒｏ  Ｏｐｔｉｃａｌ  Ｔｒａｎｓｆｅｒ  Ｆｕｎｃｔｉｏｎ）との複数のパラメータのうちの、少なくとも１つのパラメータを変更可能な表示手段と、前記表示手段に複数の画像を表示させる場合に、前記複数の画像のそれぞれの周辺に表示される背景画像が、前記複数の画像間で視覚的に同じように見えるように、前記表示手段に、前記複数の画像と前記背景画像とを表示させるように制御する表示制御手段と、を備えることを特徴とする。
【発明の効果】
【００１１】
本発明によれば、画像の比較表示をする場合に、背景を極力同じ見え方となるように表示することが可能となる
【図面の簡単な説明】
【００１２】
【図１】本発明の表示装置の一実施形態であるデジタルカメラの構成を示す図。
【図２】一実施形態のデジタルカメラのブロック構成を示す図。
【図３】一実施形態における表示モードを示した図。
【図４】左右分割表示の画像の選択と切り替えを示した図。
【図５】４枚分割表示の画像の切り替えを示した図。
【図６】ＥＯＴＦ毎の画面の明るさ設定表示を示した図。
【図７】背景色の設定表示を示した図。
【図８】画像表示動作の流れを示すフローチャート。
【図９】分割表示モードの処理の例を示すフローチャート。
【図１０】各画像毎の背景色の画素値の設定処理の例を示すフローチャート。
【図１１】１枚表示モードの処理の例を示したフローチャート。
【図１２】背景のパディングの例を示した図。
【発明を実施するための形態】
【００１３】
以下、本発明の一実施形態について、添付図面を参照して詳細に説明する。
【００１４】
＜装置の構成＞
図１は、本発明の表示装置の一実施形態であるデジタルカメラ１００の構成を示す図である。図１において、表示部１１６は画像や各種情報を表示する。表示部１１６はタッチパネルを備え、ユーザからの操作を受け付ける操作部も兼ねる。操作部１０４はユーザからの各種操作を受け付ける各種スイッチ、ボタン、シャッターボタン、モード切り替えボタン、コントローラホイール等の操作部材から成る。電源スイッチにより、電源のオンとオフを切り替えることができ、シャッターボタンの操作により撮影指示を行うことができる。
【００１５】
＜全体ブロック図＞
図２は、デジタルカメラ１００のブロック構成を示す図である。デジタルカメラ１００は、図２に示すように、ＣＰＵ１０１、メモリ１０２、不揮発性メモリ１０３、操作部１０４、撮像レンズ１１１、撮像部１１２、画像処理部１１３、符号化処理部１１４を有する。また、デジタルカメラ１００は、さらに表示制御部１１５、表示部１１６、記録媒体制御部１１９、記録媒体１２０、及び内部バス１３０を有する。
【００１６】
ＣＰＵ１０１は、不揮発性メモリ１０３に記憶されているコンピュータプログラムを実行することによって、デジタルカメラ１００の各部の動作を制御する。
【００１７】
メモリ１０２は、書き換え可能な揮発性メモリであり、デジタルカメラ１００の各部の動作を制御するコンピュータプログラム、各部の動作に関するパラメータ等の情報等を一時的に記録する。メモリ１０２は、撮像部１１２、画像処理部１１３、符号化処理部１１４等で処理した画像や情報を一時的に記録するために十分な記憶容量を備えている。
【００１８】
不揮発性メモリ１０３は、電気的に消去・記録可能なメモリであり、例えばＥＥＰＲＯＭ等が用いられる。不揮発性メモリ１０３は、デジタルカメラ１００の各部の動作を制御するコンピュータプログラム及び各部の動作に関するパラメータ等の情報を記憶する。ここでいう、コンピュータプログラムとは、本実施形態において後述する各種フローチャートを実行するためのプログラムのことである。
【００１９】
操作部１０４は、デジタルカメラ１００を操作するためのユーザインターフェースを提供する。操作部１０４は、デジタルカメラ１００の電源ボタン、メニューボタン、シャッターボタン等を有し、各ボタンはスイッチ、マルチコントローラ、タッチパネル等により構成される。ＣＰＵ１０１は、操作部１０４を介して入力されたユーザの指示に従ってデジタルカメラ１００を制御する。操作部１０４による各種操作の詳細は図３から図７を用いて後述する。
【００２０】
撮像レンズ１１１は、ズームレンズ、フォーカスレンズを含むレンズ群、レンズ制御部、絞りなどを備えて構成される。撮像レンズ１１１は図示しないレンズ制御部を有し、ＣＰＵ１０１から送信される制御信号により、焦点の調整や絞り値（Ｆ値）を制御する。
【００２１】
撮像部１１２は、被写体の光学像を電気信号に変換する撮像素子を備える。撮像素子は、例えばＣＣＤ（電荷結合素子）やＣＭＯＳ（相補型金属酸化膜半導体）素子等で構成されるエリアイメージセンサである。撮像部１１２は撮像した画像を画像処理部１１３またはメモリ１０２に出力する。
【００２２】
画像処理部１１３は、撮像部１１２から出力されるデータ、又は、メモリ１０２から読み出されたデータに対し所定の画素補間処理、縮小処理といったリサイズ処理、アスペクト比を合わせるための画像の付与、色変換処理等を行う。画像処理部１１３は、γ、ＰＱ（Ｐｅｒｃｅｐｔｕａｌ  Ｑｕａｎｔｉｚａｔｉｏｎ）、ＨＬＧ（Ｈｙｂｒｉｄ  Ｌｏｇ  Ｇａｍｍａ）などの複数のＥＯＴＦに対応している。
【００２３】
また、画像処理部１１３では、撮像した画像データを用いて所定の演算処理が行われ、得られた演算結果に基づいてＣＰＵ１０１が露光制御、測距制御を行う。これにより、ＡＥ（自動露出）処理、ＡＷＢ（オートホワイトバランス）処理、ＡＦ（オートフォーカス）処理が行われる。
【００２４】
符号化処理部１１４は、入力された画像データを画面内予測符号化及び画面間予測符号化することによりデータサイズを圧縮する。
【００２５】
表示制御部１１５は、表示部１１６の発光強度や色域やＥＯＴＦなどを変更可能に制御するための制御部である。表示部１１６を分割表示する場合は、分割領域毎に表示部１１６の発光強度や色域やＥＯＴＦなどを制御する。
【００２６】
表示部１１６は、液晶ディスプレイや有機ＥＬ等で構成されており、表示制御部１１５から送られてきた画像信号を表示する。表示部１１６は、分割表示可能であり、分割領域毎に発光強度や色域やＥＯＴＦなどを設定できる。表示部１１６はタッチパネルを備え、ユーザからの操作を受け付ける操作部も兼ねる。
【００２７】
記録媒体１２０は、撮像され符号化された画像データを記録するための着脱式、または内蔵式の不揮発性メモリや磁気ディスク等から構成される。内部バス１３０は、ＣＰＵ１０１とメモリ１０２に各処理部がアクセスするための内部バスである。
【００２８】
＜操作部１０４による各種操作の詳細＞
図３は、本実施形態における表示モードを示す図である。図３（Ａ）は、１枚表示を示している。図３（Ｂ）は、左右分割表示を示している。図３（Ｃ）は４枚分割表示を示している。図３（Ｄ）は９枚分割表示を示している。
【００２９】
操作部１０４により表示モード設定ボタンが押されるたびに１枚表示、左右分割表示、４枚分割表示、９枚分割表示の順に表示モードを切り替える。９枚分割表示の状態で表示モード設定ボタンが押されたら１枚表示に切り替える。これにより、表示モードの設定をリング状にループさせて切り替えることができる。なお、図３において画像の周辺のパディングした領域を背景色（背景画像）と呼ぶことにする。
【００３０】
図４は、本実施形態における左右分割表示の画像の選択と切り替えを示した図である。斜め線のハッチングは、画像が選択されている状態を示している。
【００３１】
図４（Ａ）は左側画像領域が選択されている状態を示しており、図４（Ｂ）は右側画像領域が選択されている状態を示している。操作部１０４のマルチコントローラの左右ボタンにより選択領域を切り替える。操作部１０４の画像切り替え操作が実行されたら表示する画像を切り替える。左右分割表示においては、操作部１０４のマルチコントローラの上下ボタンによる操作により表示する画像を順番に切り替える。
【００３２】
図４（Ａ）の左側画像領域が選択されている状態で、画像切り替え操作が実行されたら図４（Ｃ）のように左側画像領域の画像が切り替わる。図４（Ｂ）のように右側画像領域が選択されている状態で、画像切り替え操作が実行されたら図４（Ｄ）のように右側画像領域の画像が切り替わる。
【００３３】
図５は、本実施形態における４枚分割表示における画像の切り替えを示した図である。斜め線のハッチングは、画像が選択されている状態を示している。４枚分割表示においては、操作部１０４のマルチコントローラの上下左右ボタンによる操作により選択画像を切り替える。マルチコントローラの上下ボタンにより選択画像を上下方向に切り替える。マルチコントローラの左右ボタンにより選択画像をＺスキャン方向に切り替える。ここで、Ｚスキャンとは図５（Ａ）、図５（Ｂ）、図５（Ｃ）、図５（Ｄ）のように選択画像を切り替える切り替え方とする。
【００３４】
表示部１１６に画像が表示されていない方向に切り替え操作が行われた場合、４枚分割表示に使用している画像を変更する。例えば、図５（Ｃ）の状態でマルチコントローラの下ボタンが押された場合、図５（Ｅ）のように表示する画像を変更し、選択画像を切り替える。図５（Ｄ）の状態でマルチコントローラの右ボタンが押された場合、図５（Ｅ）のように表示する画像を変更し、選択画像を切り替える。図５（Ｄ）の状態でマルチコントローラの下ボタンが押された場合、図５（Ｆ）のように表示する画像を変更し、選択画像を切り替える。図５では４枚分割表示を示したが、９枚分割表示においても同様の処理により選択画像を変更する。
【００３５】
図６は、ＥＯＴＦ毎の画面の明るさ設定表示を示している。操作部１０４のマルチコントローラの上下ボタンにより、画面の明るさ設定を変更するＥＯＴＦを選択し、操作部１０４のマルチコントローラの左右ボタンにより、画面の明るさを設定する。
【００３６】
図７は、背景色の設定表示を示した図である。斜め線のハッチングが選択状態を示している。操作部１０４のマルチコントローラの上下左右ボタンやタッチ操作により設定を行う。この設定を基準に背景色の補正を行う。
【００３７】
＜デジタルカメラ１００の全体の処理フロー＞
図８は、デジタルカメラ１００における画像表示動作の流れを示すフローチャートである。操作部１０４のモード切り替えボタンにより表示モードが選択された場合に、図８の処理が開始される。
【００３８】
Ｓ１００において、ＣＰＵ１０１は、不揮発性メモリ１０３から初期設定値を読み込み、表示制御部１１５により表示部１１６の初期設定を行う。初期設定値は、最初に表示する画像や発光強度などである。ＣＰＵ１０１は、本フローチャートにおける処理をＳ１００からＳ１０１へ進める。
【００３９】
Ｓ１０１において、ＣＰＵ１０１は、表示設定ボタンが押されたか判定する。Ｓ１０１において、表示設定ボタンが押されたと判定された場合は、ＣＰＵ１０１は、本フローチャートにおける処理をＳ１０１からＳ１０２へ進める。Ｓ１０１において、表示設定ボタンが押されなかったと判定された場合は、ＣＰＵ１０１は、本フローチャートにおける処理をＳ１０１からＳ１０３へ進める。
【００４０】
Ｓ１０２において、ＣＰＵ１０１は、不揮発性メモリ１０３から表示設定画面データを読み込んでメモリ１０２に格納し、表示部１１６に表示設定画面を表示する。ＣＰＵ１０１は、操作部１０４による入力に応じて、表示の設定を変更する。表示の設定項目は、表示部１１６に画像を１枚表示するか、複数の画像を分割して表示するか、ＥＯＴＦ毎の発光強度や背景色などの項目である。ＣＰＵ１０１は、本フローチャートにおける処理をＳ１０２からＳ１０３へ進める。
【００４１】
Ｓ１０３において、ＣＰＵ１０１は、分割表示モードの設定か判定する。Ｓ１０３において、表示モードが分割表示モードの設定と判定された場合は、ＣＰＵ１０１は、本フローチャートにおける処理をＳ１０３からＳ１０４へ進める。Ｓ１０３において、表示モードが分割表示モードの設定ではないと判定された場合は、ＣＰＵ１０１は、本フローチャートにおける処理をＳ１０３からＳ１０５へ進める。
【００４２】
Ｓ１０４において、ＣＰＵ１０１は、分割表示モードで画像を表示する。分割表示モードの詳細は図９を用いて後述する。ＣＰＵ１０１は、本フローチャートにおける処理をＳ１０４からＳ１０６へ進める。
【００４３】
Ｓ１０５において、ＣＰＵ１０１は、１枚表示モードで画像を表示する。１枚表示モードの詳細は図１１を用いて後述する。ＣＰＵ１０１は、本フローチャートにおける処理をＳ１０５からＳ１０６へ進める。
【００４４】
Ｓ１０６において、ＣＰＵ１０１は、画像送りボタンが押されたか判定する。Ｓ１０６において、画像送りボタンが押されたと判定された場合は、ＣＰＵ１０１は、本フローチャートにおける処理をＳ１０６からＳ１０７へ進める。Ｓ１０６において、画像送りボタンが押されなかったと判定された場合は、ＣＰＵ１０１は、本フローチャートにおける処理をＳ１０６からＳ１０８へ進める。
【００４５】
Ｓ１０７において、ＣＰＵ１０１は、画像送りボタンが押された回数などに応じて、表示する画像の設定を変更する。ＣＰＵ１０１は、本フローチャートにおける処理をＳ１０７からＳ１０８へ進める。
【００４６】
Ｓ１０８において、ＣＰＵ１０１は、表示終了ボタンが押されたか判定する。Ｓ１０８において、表示終了ボタンが押されたと判定された場合は、ＣＰＵ１０１は、本フローチャートにおける処理を終了する。Ｓ１０８において、表示終了ボタンが押されなかったと判定された場合は、ＣＰＵ１０１は、本フローチャートにおける処理をＳ１０８からＳ１０１へ戻す。
【００４７】
図９は、分割表示モードの処理の例を示すフローチャートである。
【００４８】
Ｓ３００において、ＣＰＵ１０１は、分割表示する全画像を解析する。画像ファイルの解析を行うことにより各画像の画像サイズや色域やＥＯＴＦなどの情報を取得する。デジタルカメラ１００が画像の情報を別のファイルに保存している場合は、そのファイルを参照してもよい。ＣＰＵ１０１は、どの分割領域にどの画像を表示するか、分割領域と画像の対応関係を設定する。ＣＰＵ１０１は、本フローチャートにおける処理をＳ３００からＳ３０１へ進める。
【００４９】
Ｓ３０１において、ＣＰＵ１０１は、各画像毎の背景色の画素値を設定する。各画像毎の背景色の画素値の設定処理についての詳細は図１０を用いて後述する。ＣＰＵ１０１は、本フローチャートにおける処理をＳ３０１からＳ３０２へ進める。
【００５０】
Ｓ３０２において、ＣＰＵ１０１は、処理対象画像を設定する。ＣＰＵ１０１は、本フローチャートにおける処理をＳ３０２からＳ３０３へ進める。
【００５１】
Ｓ３０３において、ＣＰＵ１０１は、記録媒体１２０から処理対象画像を読み込み、メモリ１０２に書き込む。ＣＰＵ１０１は、本フローチャートにおける処理をＳ３０３からＳ３０４へ進める。
【００５２】
Ｓ３０４において、ＣＰＵ１０１は、処理対象画像の画像サイズから画像のリサイズが必要か判定する。Ｓ３０４において、画像のリサイズが必要と判定された場合、ＣＰＵ１０１は、本フローチャートにおける処理をＳ３０４からＳ３０５へ進める。Ｓ３０４において、画像のリサイズが必要と判定されなかった場合、ＣＰＵ１０１は、本フローチャートにおける処理をＳ３０４からＳ３０６へ進める。
【００５３】
Ｓ３０５において、画像処理部１１３は、処理対象画像をリサイズする。リサイズ処理はどのような方法でもよい。ＣＰＵ１０１は、本フローチャートにおける処理をＳ３０５からＳ３０６へ進める。
【００５４】
Ｓ３０６において、ＣＰＵ１０１は、背景の付与が必要か判定する。Ｓ３０５でリサイズした処理対象画像のアスペクト比と分割表示領域のアスペクト比が同じであれば、背景の付与が不要の場合があるため、背景の付与が必要か判定する。
【００５５】
Ｓ３０６において、背景の付与が必要と判定された場合、ＣＰＵ１０１は、本フローチャートにおける処理をＳ３０６からＳ３０７へ進める。Ｓ３０６において、背景の付与が不要と判定された場合、ＣＰＵ１０１は、本フローチャートにおける処理をＳ３０６からＳ３０８へ進める。
【００５６】
Ｓ３０７において、画像処理部１１３は、処理対象画像に背景を付与する。ＣＰＵ１０１は、本フローチャートにおける処理をＳ３０７からＳ３０８へ進める。
【００５７】
Ｓ３０８において、ＣＰＵ１０１は、全ての画像の処理が完了したか判定する。Ｓ３０８において、全ての画像の処理が完了したと判定された場合、ＣＰＵ１０１は、本フローチャートにおける処理をＳ３０８からＳ３０９へ進める。Ｓ３０８において、全ての画像の処理が完了していないと判定された場合、ＣＰＵ１０１は、本フローチャートにおける処理をＳ３０８からＳ３０２へ戻す。
【００５８】
Ｓ３０９において、表示制御部１１５は、Ｓ３００で設定された分割領域と画像の対応関係と画像の色域やＥＯＴＦなどの情報により、分割領域毎に色域やＥＯＴＦなどの設定を行い画像を表示して処理を終了する。
【００５９】
図１０は、各画像毎の背景色の画素値の設定処理の例を示すフローチャートである。
【００６０】
Ｓ４００において、ＣＰＵ１０１は、全ての分割領域毎の表示条件が同じであるか判定する。Ｓ４００において、全ての分割領域毎の表示条件が同じであると判定された場合、ＣＰＵ１０１は、本フローチャートにおける処理をＳ４００からＳ４０６へ進める。Ｓ４００において、全ての分割領域毎の表示条件が同じではないと判定された場合、ＣＰＵ１０１は、本フローチャートにおける処理をＳ４００からＳ４０１へ進める。
【００６１】
Ｓ４０１において、ＣＰＵ１０１は、背景色の設定が無彩色であるか有彩色であるか判定する。４０１において、背景色の設定が無彩色であると判定された場合、ＣＰＵ１０１は、本フローチャートにおける処理をＳ４０１からＳ４０２へ進める。Ｓ４０１において、背景色の設定が無彩色ではないと判定された場合、ＣＰＵ１０１は、本フローチャートにおける処理をＳ４０１からＳ４０５へ進める。
【００６２】
Ｓ４０２において、ＣＰＵ１０１は、設定された背景色の輝度値が閾値以下か判定する。Ｓ４０２において、設定された背景色の輝度値が閾値以下と判定された場合、ＣＰＵ１０１は、本フローチャートにおける処理をＳ４０２からＳ４０３へ進める。Ｓ４０２において、設定された背景色の輝度値が閾値よりも大きいと判定された場合、ＣＰＵ１０１は、本フローチャートにおける処理をＳ４０２からＳ４０４へ進める。Ｓ４０２の処理における閾値は、例えば画像のビット深度がＮビットの場合、２N-1にするなど、ビット深度によって変更してもよい。
【００６３】
Ｓ４０３において、ＣＰＵ１０１は、図７の背景色の設定で設定された同一の背景色の画素値を分割領域毎に表示した際、どの分割領域の背景色の輝度が最大となるかを計算する。そして、背景色の輝度が最大となる分割領域の背景色の輝度値を基準値として、その他の分割領域の背景色が同じ見え方となる（画像間で背景色が視覚的に同じに見える）ように各分割領域毎の背景色の補正値（画素値）を算出して処理を終了する。
【００６４】
Ｓ４０３において、例えば背景色の設定値が（Ｒ，Ｇ，Ｂ）＝（０，０，０）の黒色の場合、この黒色の背景色が最も明るく表示される分割領域では、補正により背景色をさらに暗く表示することはできない。他の分割領域の背景色を少し明るくなるように補正することにより、背景が同じ見え方となるようにできる。このため背景色が最も明るく表示される分割領域を基準として、他の分割領域の背景色を補正する。
【００６５】
Ｓ４０４において、ＣＰＵ１０１は、図７の背景色の設定で設定された背景色の画素値を分割領域毎に表示した際、どの分割領域の背景色の輝度が最小となるかを計算する。そして、背景色の輝度が最小となる分割領域の背景色の輝度値を基準値として、その他の分割領域の背景色が同じ見え方となるように各分割領域毎の背景色の補正値を算出して処理を終了する。
【００６６】
Ｓ４０４において、例えば背景色の設定値が（Ｒ，Ｇ，Ｂ）＝（２N-1−１，２N-1−１，２N-1−１）の白色の場合、この白色の背景色が最も暗く表示される分割領域では、補正により背景色をさらに明るく表示することはできない。他の分割領域の背景色を少し暗くなるように補正することにより、背景が同じ見え方となるようにできる。このため背景色が最も暗く表示される分割領域を基準として、他の分割領域の背景色を補正する。
【００６７】
なお、上記では、背景色が黒色の場合と白色の場合について説明したが、設定された背景色が灰色の場合は、以下のような処理が行われる。つまり、Ｓ４０２において、灰色の背景色の輝度値が閾値以下と判定された場合は、Ｓ４０３において、背景色の輝度が最大となる分割領域の背景色の輝度値を基準値として、その他の分割領域の背景色が同じ見え方となるように背景色の補正値を算出する。また、Ｓ４０２において、灰色の背景色の輝度値が閾値より大きいと判定された場合は、Ｓ４０３において、背景色の輝度が最小となる分割領域の背景色の輝度値を基準値として、その他の分割領域の背景色が同じ見え方となるように背景色の補正値を算出する。
【００６８】
Ｓ４０５において、ＣＰＵ１０１は、図７の背景色の設定で設定された背景色の画素値を分割領域毎に表示した際、どの分割領域の背景色の色域が最も狭くなるかを計算する。そして、背景色の色域が最も狭くなる分割領域の背景色の色域を基準値として、その他の分割領域の背景色が同じ見え方となるように各分割領域毎の背景色の補正値を算出して処理を終了する。
【００６９】
Ｓ４０５において、例えば背景色の設定値が（Ｒ，Ｇ，Ｂ）＝（２N-1−１，０，０）の赤色の場合、この赤色の背景色の色域が最も狭く表示される分割領域では、補正により背景色の色域を広く表示することはできない。他の分割領域の背景色の色域を少し狭くなるように補正することにより、背景が同じ見え方となるようにできる。このため背景色の色域が最も狭く表示される分割領域を基準として、他の分割領域の背景色を補正する。
【００７０】
Ｓ４０６において、ＣＰＵ１０１は、全ての分割領域の表示条件が同じであるので、背景色の補正は不要であるため、全ての分割領域に図７、図８の背景色の設定で設定された背景色の画素値を設定して処理を終了する。
【００７１】
図１１は１枚表示モードの処理の例を示すフローチャートである。
【００７２】
Ｓ２００において、ＣＰＵ１０１は、表示する画像を解析する。画像の解析を行うことにより表示対象画像の画像サイズや色域やＥＯＴＦなどの情報を取得する。ＣＰＵ１０１は、本フローチャートにおける処理をＳ２００からＳ２０１へ進める。
【００７３】
Ｓ２０１において、ＣＰＵ１０１は、背景色の画素値を設定する。ＣＰＵ１０１は、本フローチャートにおける処理をＳ２０１からＳ２０２へ進める。
【００７４】
Ｓ２０２において、ＣＰＵ１０１は、記録媒体１２０から処理対象画像を読み込み、メモリに１０２に書き込む。ＣＰＵ１０１は、本フローチャートにおける処理をＳ２０２からＳ２０３へ進める。
【００７５】
Ｓ２０３において、ＣＰＵ１０１は、処理対象画像の画像サイズから画像のリサイズが必要か判定する。Ｓ２０３において、画像のリサイズが必要と判定された場合、ＣＰＵ１０１は、本フローチャートにおける処理をＳ２０３からＳ２０４へ進める。Ｓ２０３において、画像のリサイズが必要と判定さなかった場合、ＣＰＵ１０１は、本フローチャートにおける処理をＳ２０３からＳ２０５へ進める。
【００７６】
Ｓ２０４において、画像処理部１１３は、処理対象画像をリサイズする。ＣＰＵ１０１は、本フローチャートにおける処理をＳ２０４からＳ２０５へ進める。
【００７７】
Ｓ２０５において、ＣＰＵ１０１は、背景の付与が必要か判定する。Ｓ２０４でリサイズした処理対象画像のアスペクト比と分割表示領域のアスペクト比が同じであれば、背景の付与が不要の場合があるため、背景の付与が必要か判定する。
【００７８】
Ｓ２０５において、背景の付与が必要と判定された場合、ＣＰＵ１０１は、本フローチャートにおける処理をＳ２０５からＳ２０６へ進める。Ｓ２０５において、背景の付与が不要と判定された場合、ＣＰＵ１０１は、本フローチャートにおける処理をＳ２０５からＳ２０７へ進める。
【００７９】
Ｓ２０６において、画像処理部１１３は、処理対象画像に背景を付与する。ＣＰＵ１０１は、本フローチャートにおける処理をＳ２０６からＳ２０７へ進める。
【００８０】
Ｓ２０７において、表示制御部１１５は、Ｓ２００で解析した画像の色域やＥＯＴＦなどの情報により、色域やＥＯＴＦなどの設定を行い画像を表示して処理を終了する。
【００８１】
なお、本実施形態では、背景色の補正を計算により算出する例を示したが、不揮発性メモリ１０３に計算結果をテーブルとして記憶させておいてもよい。
【００８２】
また、図１１の１枚表示においては背景色の補正は実施していないが、１枚表示で表示する画像を切り替えて比較する際、画像が切り替わっても背景色が同じように見えた方がよい場合は、背景色の補正を実施してもよい。この場合、記録媒体１２０に記録されている全画像を解析して、分割表示と同様の処理を行うことで背景色の補正を行う。
【００８３】
また、表示制御部１１５がビデオレンジ（フルレンジ）とリミテッドレンジを制御できる（設定可能である）場合、ビデオレンジとリミテッドレンジを考慮して、背景色を補正してもよい。
【００８４】
また、本実施形態では、背景色の補正を示したが、ＯＳＤ（Ｏｎ  Ｓｃｒｅｅｎ  Ｄｉｓｐｌａｙ）に関しても同様の課題が発生するので、本実施形態で示した処理をＯＳＤに適用させてもよい。
【００８５】
また、表示部１１６は、液晶ディスプレイや有機ＥＬ等で無くても、１画面を複数の領域に分割して、分割した領域毎に色域や表示輝度やＥＯＴＦ（Ｅｌｅｃｔｒｏ  Ｏｐｔｉｃａｌ  Ｔｒａｎｓｆｅｒ  Ｆｕｎｃｔｉｏｎ）を制御して表示することが可能な表示装置であればよい。
【００８６】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【００８７】
１００：デジタルカメラ、１０１：ＣＰＵ、１０２：メモリ、１０３：不揮発性メモリ、１０４：操作部、１１１：撮像レンズ、１１２：撮像部、１１３：画像処理部、１１４：符号化処理部、１１５：表示制御部、１１６：表示部、１１９：記録媒体制御部、１２０：記録媒体、１３０：内部バス
【図１】
2020112730.tif 000003
【図２】
2020112730.tif 000004
【図３】
2020112730.tif 000005
【図４】
2020112730.tif 000006
【図５】
2020112730.tif 000007
【図６】
2020112730.tif 000008
【図７】
2020112730.tif 000009
【図８】
2020112730.tif 000010
【図９】
2020112730.tif 000011
【図１０】
2020112730.tif 000012
【図１１】
2020112730.tif 000013
【図１２】
2020112730.tif 000014